(57)【特許請求の範囲】
【請求項１】
複数の商品を表示する広告パネルと、前記広告パネルと対向する位置に透明の表示窓を設け、扉の正面に配置された樹脂製の化粧パネルと、前記化粧パネルにおける上下方向に隣接する表示窓の間で横一列に並ぶように配置した商品選択釦と、前記商品選択釦の後面に固定された支持部材と、前記広告パネルを保持し前記広告パネルを前記化粧パネルの表示窓の内面の対向位置に固定する透明なパネル取付板と、表示窓の後方に設けた照明装置とからなり、前記支持部材は、前記支持部材の下方に隣接する表示窓の上側の周縁部の内面との間に上部空間を形成すると共に前記支持部材の上方に隣接する表示窓の下側の周縁部の内面との間に下部空間を形成し、前記パネル取付板に前記広告パネルを保持させて前記パネル取付板の上部を前記パネル取付板と対向する表示窓の上方に隣接する前記支持部材の前記上部空間に差込んで上方まで押上げた後に前記パネル取付板の下部を前記パネル取付板と対向する表示窓の下方に隣接する前記支持部材の前記下部空間に嵌め込むことにより、前記広告パネルが前記化粧パネルの内面と密着した状態で固定され、前記パネル取付板の外周部が表示窓の周縁部に隠れて正面からは見えないように構成した自動販売機の表示装置。
【請求項２】
化粧パネルの内面における表示窓以外の部分に白色系印刷を施し、さらに前記化粧パネルの内面における表示窓の外縁部にパネル取付板の外周を隠す寸法で銀色系印刷を施した請求項１に記載の自動販売機の表示装置。
【請求項３】
複数の商品を表示する広告パネルと、前記広告パネルと対向する位置に商品選択釦に対応した透明の表示窓を設け、扉の正面に配置された樹脂製の化粧パネルと、前記化粧パネルの内面より所定寸法の空間を設けた位置に、前記広告パネルを取付ける透明な内面パネルと、表示窓の後方に設けた照明装置とからなり、前記広告パネルは、前記内面パネルの内面に配置される自動販売機の表示装置。
【請求項４】
化粧パネルの表示窓と対向する位置に、内面パネルの上面部に回動自在に挿着され、前記内面パネルとの間で広告パネルを挟み込むパネル固定板を設けた請求項３に記載の自動販売機の表示装置。
【請求項５】
内面パネルは、複数に配置された広告パネルの横一列単位に分割され、前記一列毎に上部位置を中心に、全体を回動自在に軸支された請求項３または４に記載の自動販売機の表示装置。
【発明の詳細な説明】
【技術分野】
【０００１】
本発明は、自動販売機の扉の正面に配置する複数種の広告パネルを装備して、販売可能商品の宣伝を行う自動販売機の表示装置に関するものである。
【背景技術】
【０００２】
近年、この種の自動販売機の表示装置は、集客性の向上を図るため、自動販売機を大型化にして、販売品種を増加させ、消費者の購買意欲を増加させることが要求されている。そのため、販売商品を分かり易くする方法として、販売商品の図又は写真を印刷した広告パネルを扉の正面に配置し、さらには蛍光灯等の照明により光らせ、より視認性の向上と、販売商品の理解を深めるようにしている（例えば、特許文献１参照）。
【０００３】
以下、図面を参照しながら、従来の自動販売機の表示装置について説明する。
【０００４】
図５、６、７は前記公報に記載された自動販売機の表示装置を示すものである。
同図において、自動販売機の前面をなす扉１と、扉１の所定位置には販売操作機能として、商品購入者が購入商品金額を投入する硬貨投入口２と、各販売商品毎に設けた商品選択釦３と、選択した商品を取出す商品取出口４とが設けられている。さらに、商品購入者が各販売商品の理解を深めるため、商品選択釦３の近傍には商品表示窓５を設けられ、商品表示窓５と勘合する形状であり、透明樹脂の表示カバー６と、その内面に取付けた広告パネル７から構成されている。
【０００５】
広告パネル７の取付け構造としては、商品表示窓５の上下位置の扉１に固着され、商品表示窓５の仕切りをなす仕切り板８と、樹脂成型で形成されたパネル支え板９を設け、表示カバー６との間に所定寸法の隙を設けるよう上部支え９ａと、下部支え９ｂとを形成し、前記隙に広告パネル７を挿入して取り付ける。また、商品選択釦３の配線を固定するよう配線クランプ９ｃが形成されて、ほぼ中央部を仕切り板８と固着するように子ネジ１０で締結されている。扉１の内面には、広告パネル７に照射するよう照明装置１１を設けてある。
【０００６】
すなわち、商品表示窓５の上下に設けたパネル支え板９の隙に広告パネル７を差込むことで、広告パネル７が固定でき、照明装置１１が広告パネル７を照射して明るく光らせることになる。
【特許文献１】実開平３−６６４７６号公報
【発明の開示】
【発明が解決しようとする課題】
【０００７】
しかしながら上記従来の構成では、広告パネル７のみ照射されて、折角設けた照明構造による宣伝効果が減少する。また、表示カバー６とパネル支え板９の間の狭い隙に広告パネル７を挿入し難く、さらには、広告パネル７と表示カバー６との密着性が悪いため隙又は位置ズレが発生して、広告パネル７の明るさや、扉１の内部が見えて不体裁になる課題を有していた。
【０００８】
本発明は上記従来の課題を解決するもので、扉正面のほぼ全体を形成する寸法の化粧パネル全体を照明装置で照射し、さらに、パネル取付板の着脱により広告パネルの取外し操作が容易に行え、その際扉内部の構成部品の影映りなく広告パネルを美しく表示すると共に、交換可能な自動販売機の表示装置を目的とする。
【課題を解決するための手段】
【０００９】
前記従来の課題を解決するために本発明の自動販売機の表示装置は、複数の商品を表示する広告パネルと、前記広告パネルと対向する位置に透明の表示窓を設け、扉の正面に配置された樹脂製の化粧パネルと、前記化粧パネルにおける上下方向に隣接する表示窓の間で横一列に並ぶように配置した商品選択釦と、前記商品選択釦の後面に固定された支持部材と、前記広告パネルを保持し前記広告パネルを前記化粧パネルの表示窓の内面の対向位置に固定する透明なパネル取付板と、表示窓の後方に設けた照明装置とからなり、前記支持部材は、前記支持部材の下方に隣接する表示窓の上側の周縁部の内面との間に上部空間を形成すると共に前記支持部材の上方に隣接する表示窓の下側の周縁部の内面との間に下部空間を形成し、前記パネル取付板に前記広告パネルを保持させて前記パネル取付板の上部を前記パネル取付板と対向する表示窓の上方に隣接する前記支持部材の前記上部空間に差込んで上方まで押上げた後に前記パネル取付板の下部を前記パネル取付板と対向する表示窓の下方に隣接する前記支持部材の前記下部空間に嵌め込むことにより、前記広告パネルが前記化粧パネルの内面と密着した状態で固定され、前記パネル取付板の外周部が表示窓の周縁部に隠れて正面からは見えないように構成したものである。
【００１０】
これによって、照明装置の光が化粧パネル全面に照射され、広告パネルを含めた全体が影映りなく明るく光り、尚且つ広告パネルと化粧パネルの密着性が増し、広告パネルを美しく表示できる。
【００１１】
また、本発明の自動販売機の表示装置は、上記構成に加えて、化粧パネルの内面における表示窓以外の部分に白色系印刷を施し、さらに前記化粧パネルの内面における表示窓の外縁部にパネル取付板の外周を隠す寸法で銀色系印刷を施すものである。
【００１２】
これによって、非照明時は白色に、照明時は銀色印刷範囲が薄い灰色に変化して表示し、パネル取付板の輪郭線の影映りがなくなる。
【００１３】
また、本発明の自動販売機の表示装置は、複数の商品を表示する広告パネルと、前記広告パネルと対向する位置に商品選択釦に対応した透明の表示窓を設け、扉の正面に配置された樹脂製の化粧パネルと、前記化粧パネルの内面より所定寸法の空間を設けた位置に、前記広告パネルを取付ける透明な内面パネルと、表示窓の後方に設けた照明装置とからなり、前記広告パネルは、前記内面パネルの内面に配置されるものである。
【００１４】
これによって、化粧パネルと広告パネルの接触が無く、化粧パネル取付け構造の影が化粧パネル正面に映ることなく、美しく照明が行える。
【００１５】
また、本発明の自動販売機の表示装置は、上記構成に加えて、化粧パネルの表示窓と対
向する位置に、内面パネルの上面部に回動自在に挿着され、前記内面パネルとの間で広告パネルを挟み込むパネル固定板を設けたものである。
【００１６】
これによって、固定板を回動操作することで、広告パネルを内面パネルと固定板との間に挟み取付け、容易に広告パネルの交換操作が行え、取付け位置ずれも無い。
【００１７】
また、本発明の自動販売機の表示装置は、前記内面パネルが、複数に配置された広告パネルの横一列単位に分割され、前記一列毎に上部位置を中心に、全体を回動自在に軸支されたものである。
【００１８】
これによって、内面パネルの回動操作により、化粧パネルの内面が開放状態になり、清掃が容易に行える。
【発明の効果】
【００１９】
本発明の自動販売機の表示装置は、表面への影映り無く広告パネルが、化粧パネルまたは前記化粧パネルの内面より所定寸法の空間を設けた位置に配置された内面パネルと密着して取り付き、化粧パネル全面が照明構造にて照射されて、明るく光り宣伝パネルとなるため、消費者への自動販売機の存在アピールと販売商品の理解度が向上し、自動販売機の売上げが増加する。
【発明を実施するための最良の形態】
【００２０】
請求項１に記載の発明は、複数の商品を表示する広告パネルと、前記広告パネルと対向する位置に透明の表示窓を設け、扉の正面に配置された樹脂製の化粧パネルと、前記化粧パネルにおける上下方向に隣接する表示窓の間で横一列に並ぶように配置した商品選択釦と、前記商品選択釦の後面に固定された支持部材と、前記広告パネルを保持し前記広告パネルを前記化粧パネルの表示窓の内面の対向位置に固定する透明なパネル取付板と、表示窓の後方に設けた照明装置とからなり、前記支持部材は、前記支持部材の下方に隣接する
表示窓の上側の周縁部の内面との間に上部空間を形成すると共に前記支持部材の上方に隣接する表示窓の下側の周縁部の内面との間に下部空間を形成し、前記パネル取付板に前記広告パネルを保持させて前記パネル取付板の上部を前記パネル取付板と対向する表示窓の上方に隣接する前記支持部材の前記上部空間に差込んで上方まで押上げた後に前記パネル取付板の下部を前記パネル取付板と対向する表示窓の下方に隣接する前記支持部材の前記下部空間に嵌め込むことにより、前記広告パネルが前記化粧パネルの内面と密着した状態で固定され、前記パネル取付板の外周部が表示窓の周縁部に隠れて正面からは見えないように構成したことにより、照明装置の光が化粧パネル全面に照射され、広告パネルを含めた全体が影映りなく明るく光ることになり、広告効果が増加すると共に、広告パネルの交換操作性が向上することができる。
【００２１】
請求項２に記載の発明は、請求項１に記載の発明において、化粧パネルの内面における表示窓以外の部分に白色系印刷を施し、さらに前記化粧パネルの内面における表示窓の外縁部にパネル取付板の外周を隠す寸法で銀色系印刷を施したことにより、非照明時は白色系印刷範囲が白色に、照明時は銀色系印刷範囲が薄い灰色に変化して表示し、パネル取付板の輪郭線の影映りを無くすことができる。
【００２２】
請求項３に記載の発明は、複数の商品を表示する広告パネルと、前記広告パネルと対向する位置に商品選択釦に対応した透明の表示窓を設け、扉の正面に配置された樹脂製の化粧パネルと、前記化粧パネルの内面より所定寸法の空間を設けた位置に、前記広告パネルを取付ける透明な内面パネルと、表示窓の後方に設けた照明装置とからなり、前記広告パネルは、前記内面パネルの内面に配置されることにより、化粧パネルと広告パネルの接触が無く、化粧パネル取付け構造の影が化粧パネル正面に映ることなく、美しく照明が行える。
【００２３】
請求項４に記載の発明は、請求項３に記載の発明において、化粧パネルの表示窓と対向する位置に、内面パネルの上面部に回動自在に挿着され、前記内面パネルとの間で広告パネルを挟み込むパネル固定板を設けたことにより、固定板を回動操作することで、広告パネルを内面パネルと固定板との間に挟み取付け、容易に広告パネルの交換操作が行え取付け位置ズレも無い。
【００２４】
請求項５に記載の発明は、請求項３または４に記載の発明において、内面パネルが、複数に配置された広告パネルの横一列単位に分割され、前記一列毎に上部位置を中心に、全体を回動自在に軸支されたことにより、内面パネルの回動操作により、化粧パネルの内面が開放状態になり、清掃が容易に行える。
【００２５】
以下本発明の実施の形態について、図面を参照しながら説明するが、従来例または先に説明した実施の形態と同一構成については同一符号を付して、その詳細説明は省略する。なお、本実施の形態によって本発明が限定されるものではない。
【００２６】
（実施の形態１）
図１は、本発明の実施の形態１における自動販売機の表示装置の構成を示す側面断面図である。
【００２７】
図１において、１２は扉１の正面に設けた化粧パネルであり、複数種を配置した広告パネル７を表示する透明の表示窓１２ａ（Ａ寸法範囲）と、表示窓１２ａ以外の部分は白色系印刷１２ｂ（Ｂ寸法範囲）を施してある。また、表示窓１２ａの外縁部には銀色系印刷１２ｃ（Ｃ寸法範囲）を所定寸法施してある。
【００２８】
表示窓１２ａの近傍には商品選択釦３を設け、その後面には、支持部材１３を、横一列に並んだ商品選択釦３にネジ等により取付けられる。支持部材１３の下方には、化粧パネル１２と対向する面を伸張した面１３ａにて形成された上部空間１４を、また上方には化粧パネル１２と垂直に交差する上面に差込穴１３ｂを形成して下部空間１５を形成する。
【００２９】
１６は、表示窓１２ａの対向する位置に取り付けるパネル取付板で、広告パネル７を保持するよう、外周部の部分的には略コ字形状をしたパネル保持溝１６ａが形成してある。また、上方には、上部空間１４とほぼ同寸法に形成した上取付け面１６ｂを、さらに下方には下部空間１５に挿入する寸法に形成された挿入突起１６ｃを形成してある。
【００３０】
以上のように構成された自動販売機の表示装置について、以下その動作、作用について説明する。
【００３１】
各設置先に応じた販売商品が決定すると、扉１に広告パネル７を取付けるため、まずパネル取付板１６に広告パネル７を挿入し、所定の商品選択釦３に対応した表示窓１２ａの裏面に、パネル取付板１６の上取付け面１６ｂを上部空間１４に差込み上方まで押上げ、その後パネル取付板１６を垂直に姿勢を変え、今度は下方にずらすと、挿入突起１６ｃが下部空間１５に嵌まり込み取付けが固定される。（図中矢印）その際、化粧パネル１２内面と広告パネル７は密着した状態で、上下の各空間にて規制され、左右及び前後の位置ズレが無い。
【００３２】
上記操作を繰返し、全ての広告パネル７の取付けが完了すると、自動販売機の電源を入れて運転を開始するが、照明装置１１が点灯し広告パネル７を照射することになる。その際、表示窓１２ａの外周部の銀色印刷１２ｃ（Ｃ寸法範囲）の範囲は薄い灰色に表示してパネル取付板１６の外周部の影は隠れ正面からは見えない。また、設置先の要望により照明装置１１を消灯した場合は、銀色印刷１２ｃは見えず、白色系印刷１２ｂ（Ｂ寸法範囲）の範囲は白色に表示して、パネル取付板１６の外周部が正面からは見えない。
【００３３】
以上のように本実施例の形態においては、白色系印刷と、銀色系印刷を施した化粧パネル１２に、上下に設けた空間に差込み取付け可能なパネル取付板１６を設けることにより、非照明時は白色に、照明時は銀色印刷範囲が薄い灰色に変化して表示し、照明装置の光が化粧パネル全面に照射され、広告パネルを含めた全体が影映りなく明るく光ることになり、影映りを無く広告効果が増加すると共に、広告パネルの交換操作性も容易に行え、取付け誤りが無い。
【００３４】
（実施の形態２）
図２は、本発明の実施の形態２における自動販売機の表示装置の構成を示す側面断面図である。
【００３５】
図２において、１７は扉１の正面に設けた化粧パネルであり、複数種を配置した広告パネル７を表示する透明の表示窓１７ａと、表示窓１７ａ以外の部分は白色系印刷１７ｂ（Ｂ寸法範囲）を施してある。表示窓１７ａの近傍には商品選択釦３を設け、その後面には、透明樹脂にて形成された内面パネル１８で、化粧パネル１７とほぼ同じ表示範囲を形成する。また、内面パネル１８には、表示窓１７ａと対向する位置全てに広告パネル７を取付ける略コ字形状をしたパネル保持溝１８ａを形成してある。
【００３６】
以上のように構成された自動販売機の表示装置について、以下その動作、作用について説明する。
【００３７】
各設置先に応じた販売商品が決定すると、扉１に広告パネル７を取付けるには、所定の商品選択釦３に対応した表示窓１７ａの、裏面に対向する位置に設けた内面パネル１８のパネル保持溝１８ａに広告パネル７を差込むことで、化粧パネル１７と所定の間隔を設けた位置に広告パネル７の取付けが可能になる。
【００３８】
全ての広告パネル７の取付けが完了すると、自動販売機の電源を入れて運転を開始するが、照明装置１１の点灯又は消灯のいずれにおいても、所定寸法離れて取り付けられるため、白色系印刷１７ｂ（Ｂ寸法範囲）は白色に表示する。
【００３９】
以上のように本実施例の形態においては、化粧パネル内面より所定寸法離れた位置に、広告パネルを取付け可能な内面パネルを設けたことにより、化粧パネルと広告パネルの接触が無く、化粧パネル取付け構造の影が化粧パネル正面に映ることなく、美しく照明が行える。
【００４０】
（実施の形態３）
図３、４は、本発明の実施の形態３における自動販売機の表示装置の構成を示す側面断面図である。
【００４１】
図３において、１９は、扉１に配置した化粧パネル１７の表示窓１７ａの横一列分とほぼ同寸法であり、透明樹脂で形成された内面パネルであり、表示窓１７ａの配置に対向するよう各段毎に設けてある。内面パネル１９は上下に略コ字形状に折曲し、上面には表示窓１７ａと対向する位置に所定寸法のヒンジ穴１９ａを、下面にはヒンジ穴１９ａと同様に固定穴１９ｂが形成してある。２０は商品選択釦３の後面にネジ等により固定された支持部材であり、ヒンジ２１により内面パネル１９の上方とリベット等により固着され内面パネル１９を回動自在にする。また、内面パネル１９下方は化粧ネジ等にて支持部材２０
と固定する。
【００４２】
２２は透明樹脂で形成された固定板であり、上面を内面パネル１９のヒンジ穴１９ａに差し込む寸法にて折曲した固定部２２ａと、下面を固定穴１９ｂに差し込む寸法に突出した差込部２２ｂと、さらには内面パネル１９とは反対方向に中央を鋭角に折曲した取っ手部２２ｃを形成してある。
【００４３】
以上のように構成された自動販売機の表示装置について、以下その動作、作用について説明する。
【００４４】
各設置先に応じた販売商品が決定すると、扉１に広告パネル７を取付けるため、まず固定板２２の取っ手部２２ｃを摘み差込部２２ｂが固定穴１９ｂから外れるまで上方にずらし、手前に引張るとヒンジ穴１９ａを中心に固定板２２が回動し、内面パネル１９の内面が開放になり、広告パネル７を差込む。その後、前記動作とは逆に固定板２２を回動し垂直になった位置で下方にずらすと、差込部２２ｂが固定穴１９ｂに挿入されると固定板２２が固定され、その際広告パネル７は内面パネル１９と固定板２２に挟まれ位置が固定される。
【００４５】
上記方法にて全ての広告パネル７の取付けが完了すると、自動販売機の電源を入れて運転を開始するが、照明装置１１の点灯又は消灯のいずれにおいても、所定寸法離れて取り付けられるため、白色系印刷１７ｂ（Ｂ寸法範囲）は白色に表示する。
【００４６】
販売の経過により、化粧パネル１７の内面が汚れ清掃を行なう時は、内面パネル１９の下面を固定する化粧ネジを外し、化粧パネル１７全体を手前に引っ張るとヒンジ２１の軸を中心に回動し、化粧パネル１７の内面が開放状態になり清掃が行なえる。清掃が終われば前記とは逆に化粧パネル１７を元の位置に戻し、化粧ネジで固定することで作業が完了する。
【００４７】
以上のように本実施例の形態においては、横一列の配置毎に分割配置した内面パネル１９の上方を回動自在に軸支し、さらに、内面パネル１９の内面側の上方を回動自在に軸支し、垂直状態で内面パネル１９内面と密着する固定板２２を設けることにより、広告パネル７を内面パネル１９と固定板２２との間に挟み取付け、容易に広告パネル７の交換操作が行えると共に、内面パネルの回動操作により、化粧パネルの内面が開放状態になり、清掃が容易に行うことができる。
【産業上の利用可能性】
【００４８】
以上のように、本発明にかかる自動販売機の表示装置は、宣伝を目的とする広告パネルが従来の照明装置を用いても効率良く、美しく表示することが可能となるので、店舗等のショウウィンドや標識板等の用途にも適用できる。
【図面の簡単な説明】
【００４９】
【図１】本発明の実施の形態１における自動販売機の表示装置の構成を示す側面断面図
【図２】本発明の実施の形態２における自動販売機の表示装置の構成を示す側面断面図
【図３】本発明の実施の形態３における自動販売機の表示装置の構成を示す側面断面図
【図４】本発明の実施の形態３における自動販売機の表示装置の構成を示す側面断面図
【図５】従来の自動販売機の表示装置の正面図
【図６】従来の自動販売機の表示装置の構成を示す側面断面図
【図７】従来の自動販売機の表示装置の構成を示す斜視図
【符号の説明】
【００５０】
３    商品選択釦
７    広告パネル
１１  照明装置
１２  化粧パネル
１２ａ  表示窓
１２ｂ  白色系印刷（白色系印刷層）
１２ｃ  銀色系印刷（銀色系印刷層）
１３  支持部材
１４  上部空間
１５  下部空間
１６  パネル取付板
１６ａ  パネル保持溝
１６ｂ  上取付け面
１６ｃ  挿入突起
１７  化粧パネル
１７ａ  表示窓
１７ｂ  白色系印刷（白色系印刷層）
１８  内面パネル
１８ａ  パネル保持溝
１９  内面パネル
１９ａ  ヒンジ穴
１９ｂ  固定穴
２０  支持部材
２１  ヒンジ
２２  固定板
２２ａ  固定部
２２ｂ  差込部
【図１】
0004935008.tif 000002
【図２】
0004935008.tif 000003
【図３】
0004935008.tif 000004
【図４】
0004935008.tif 000005
【図５】
0004935008.tif 000006
【図６】
0004935008.tif 000007
【図７】
0004935008.tif 000008